【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
第１の通信装置と第２の通信装置が複数の通信チャネルを介して接続し、前記第１の通信装置が前記第２の通信装置を介して第３の通信装置と通信を行うことが可能な通信システムにおいて、
前記第３の通信装置から前記第１の通信装置への通信要求を検出する検出手段と、
前記通信要求に基いて要求される、前記第１の通信装置と第２の通信装置間の通信で用いる通信チャネル数を認識する認識手段と、
前記認識手段により認識された数の通信チャネルを前記第１の通信装置と第２の通信装置との通信用に確保できるか否かを判別する判別手段と、
前記判別手段による判別に応じて、前記通信要求の通知を前記第１の通信装置に行うか否かを制御する制御手段を有することを特徴とする通信システム。
【請求項２】
通信網に接続する基地局と無線通信を行なうことが可能な通信装置及び前記基地局を有する通信システムにおいて、
前記基地局は、
前記通信装置への着信を検出する検出手段と、
前記検出手段により検出された着信に関する通信に要求される情報伝達能力を識別する識別手段と、
前記通信装置との通信で確保可能な無線通信チャネル数を判別する判別手段と、
前記識別手段により識別された情報伝達能力及び前記判別手段により判別された無線通信チャネル数に基いて、前記通信装置に対して前記検出手段により検出された着信を通知するか否かを制御する制御手段を有することを特徴とする通信システム。
【請求項３】
第１の通信装置と第２の通信装置が複数の通信チャネルを介して接続し、前記第１の通信装置が前記第２の通信装置を介して第３の通信装置と通信を行うことが可能な通信システムにおける前記第２の通信装置において、
前記第３の通信装置から前記第１の通信装置への通信要求を検出する検出手段と、
前記通信要求に基いて要求される、前記第１の通信装置との通信で用いる通信チャネル数を認識する認識手段と、
前記認識手段により認識された数の通信チャネルを前記第１の通信装置との通信用に確保できるか否かを判別する判別手段と、
前記判別手段による判別に応じて、前記通信要求の通知を前記第１の通信装置に行うか否かを制御する制御手段を有することを特徴とする第２の通信装置。
【請求項４】
請求項３において、
前記制御手段による制御により前記通知が行われなかった場合には、前記第３の通信装置に対して所定の通知を行うことを特徴とする第２の通信装置。
【請求項５】
請求項４において、
前記所定の通知は、前記第１の通信装置が前記通信要求に対して応答しないことを示す通知であることを特徴とする第２の通信装置。
【請求項６】
請求項３において、
前記第１の通信装置との通信は無線により行われることを特徴とする第２の通信装置。
【請求項７】
第１の通信装置と第２の通信装置が複数の通信チャネルを介して接続し、前記第１の通信装置が前記第２の通信装置を介して第３の通信装置と通信を行うことが可能な通信システムにおける前記第３の通信装置において、
前記第１の通信装置と第２の通信装置間の通信で使用する通信チャネルの数を特定することが可能な発信処理を行う発信処理手段と、
前記発信処理手段により発信処理を行った後に、前記第２の通信装置からの所定の通知を検出する検出手段と、
前記検出手段により検出された所定の通知に応じて、所定の制御を行う制御手段を有することを特徴とする第３の通信装置。
【請求項８】
請求項７において、
前記所定の制御は、オペレータに対して所定の表示出力を行うことであることを特徴とする第３の通信装置。
【請求項９】
請求項７において、
前記所定の制御は、前記第１の通信装置と第２の通信装置間の通信で使用する通信チャネルの数を変更して再度発信処理を行うことであることを特徴とする第３の通信装置。
【請求項１０】
通信網に接続する基地局と無線通信を行なうことが可能な通信装置及び前記基地局を有する通信システムにおける前記基地局において、
前記通信装置への着信を検出する検出手段と、
前記検出手段により検出された着信に関する通信に要求される情報伝達能力を識別する識別手段と、
前記通信装置との通信で確保可能な無線通信チャネル数を判別する判別手段と、
前記識別手段により識別された情報伝達能力及び前記判別手段により判別された無線通信チャネル数に基いて、前記通信装置に対して前記検出手段により検出された着信を通知するか否かを制御する制御手段を有することを特徴とする基地局。
【請求項１１】
請求項１０において、
前記制御手段による制御により前記通知が行われなかった場合には、発信を行なった通信装置に対して所定の通知を行うことを特徴とする基地局。
【請求項１２】
請求項１１において、
前記所定の通知は、前記通信装置が前記着信に対して応答しないことを示す通知であることを特徴とする基地局。
【請求項１３】
無線基地局を介して通信を行うことが可能な第１の通信装置に対して通信の要求を行なう通信装置において、
前記第１の通信装置との通信における情報伝達能力を指定する発信処理を行う発信処理手段と、
前期発信処理手段による発信処理後に、前記無線基地局からの所定の通知を検出する検出手段と、
前記検出手段により検出された所定の通知に応じて、所定の制御を行う制御手段を有することを特徴とする通信装置。
【請求項１４】
請求項１３において、
前記所定の制御は、オペレータに対して所定の表示出力を行うことであることを特徴とする通信装置。
【請求項１５】
請求項１３において、
前記所定の制御は、前記情報伝達能力を変更して再度発信処理を行うことであることを特徴とする通信装置。
【請求項１６】
第１の通信装置と第２の通信装置が複数の通信チャネルを介して接続し、前記第１の通信装置が前記第２の通信装置を介して第３の通信装置と通信を行うことが可能な通信システムの制御方法において、
前記第３の通信装置から前記第１の通信装置への通信要求を検出する検出工程と、
前記通信要求に基いて要求される、前記第１の通信装置と第２の通信装置間の通信で用いる通信チャネル数を認識する認識工程と、
前記認識工程において認識された数の通信チャネルを前記第１の通信装置と第２の通信装置との通信用に確保できるか否かを判別する判別工程と、
前記判別工程における判別に応じて、前記通信要求の通知を前記第１の通信装置に行うか否かを制御する制御工程を有することを特徴とする通信システムの制御方法。
【請求項１７】
通信網に接続する基地局と無線通信を行なうことが可能な通信装置及び前記基地局を有する通信システムの制御方法において、
前記基地局は、
前記通信装置への着信を検出する検出工程と、
前記検出工程において検出された着信に関する通信に要求される情報伝達能力を識別する識別工程と、
前記通信装置との通信で確保可能な無線通信チャネル数を判別する判別工程と、
前記識別工程において識別された情報伝達能力及び前記判別工程において判別された無線通信チャネル数に基いて、前記通信装置に対して前記検出工程において検出された着信を通知するか否かを制御する制御工程を有することを特徴とする通信システムの制御方法。
【請求項１８】
第１の通信装置と第２の通信装置が複数の通信チャネルを介して接続し、前記第１の通信装置が前記第２の通信装置を介して第３の通信装置と通信を行うことが可能な通信システムにおける前記第２の通信装置の制御方法において、
前記第３の通信装置から前記第１の通信装置への通信要求を検出する検出工程と、
前記通信要求に基いて要求される、前記第１の通信装置との通信で用いる通信チャネル数を認識する認識工程と、
前記認識工程において認識された数の通信チャネルを前記第１の通信装置との通信用に確保できるか否かを判別する判別工程と、
前記判別工程における判別に応じて、前記通信要求の通知を前記第１の通信装置に行うか否かを制御する制御工程を有することを特徴とする第２の通信装置の制御方法。
【請求項１９】
第１の通信装置と第２の通信装置が複数の通信チャネルを介して接続し、前記第１の通信装置が前記第２の通信装置を介して第３の通信装置と通信を行うことが可能な通信システムにおける前記第３の通信装置の制御方法において、
前記第１の通信装置と第２の通信装置間の通信で使用する通信チャネルの数を特定することが可能な発信処理を行う発信処理工程と、
前記発信処理工程において発信処理を行った後に、前記第２の通信装置からの所定の通知を検出する検出工程と、
前記検出工程において検出された所定の通知に応じて、所定の制御を行う制御工程を有することを特徴とする第３の通信装置の制御方法。
【請求項２０】
通信網に接続する基地局と無線通信を行なうことが可能な通信装置及び前記基地局を有する通信システムにおける前記基地局の制御方法において、
前記通信装置への着信を検出する検出工程と、
前記検出工程において検出された着信に関する通信に要求される情報伝達能力を識別する識別工程と、
前記通信装置との通信で確保可能な無線通信チャネル数を判別する判別工程と、
前記識別工程において識別された情報伝達能力及び前記判別工程において判別された無線通信チャネル数に基いて、前記通信装置に対して前記検出工程において検出された着信を通知するか否かを制御する制御工程を有することを特徴とする基地局の制御方法。
【請求項２１】
無線基地局を介して通信を行うことが可能な第１の通信装置に対して通信の要求を行なう通信装置の制御方法において、
前記第１の通信装置との通信における情報伝達能力を指定する発信処理を行う発信処理工程と、
前期発信処理工程における発信処理後に、前記無線基地局からの所定の通知を検出する検出工程と、
前記検出工程において検出された所定の通知に応じて、所定の制御を行う制御工程を有することを特徴とする通信装置の制御方法。
【手続補正２】
【補正対象書類名】明細書
【補正対象項目名】００３４
【補正方法】変更
【補正の内容】
【００３４】
まず、基地局制御部２０１は回線インタフェース処理部２０６を介してデータ端末２０８からの着信が発生したかどうかチェックする（Ｓ４０１）。着信が発生した場合は、着信信号に含まれる情報から着信が要求している伝達能力を確認し、通信を行なうために必要とされるスロットの数ｎを調べる。すなわち、発信側データ端末２０８が図３に示されるスロット１つを使用する３２ＫｂｐｓのＰＩＡＦＳ通信を要求しているのか、スロット２つを使用する６４ＫｂｐｓのＰＩＦＡＳ通信を要求しているのかの確認を行う（Ｓ４０２）。